(57)【要約】【課題】  停電復帰時におけるオートクロックをスムーズに機能させる。【解決手段】  ステップＳ１において、オートクロック制御・表示に伴う停電復帰処理を開始する。Ｓ２において、停電検出部は、ＡＣコンセント２１からの電源供給が復帰した旨を検出すると、Ｓ３において、停電復帰情報を制御部に送る。Ｓ４において、制御部１１は停電復帰情報を受け、Ｓ５において停電前のテレビの状態をチェックする。ステップＳ６において、停電直前のテレビが電源オンの状態であったか電源オフの状態であったか否かに関して機器状態記憶部の記憶に基づきチェックする。Ｓ６の判断処理において、停電直前の電源状態がオフであればＳ７に進み、停電直前の電源状態がオンであればＳ８に進む。Ｓ７においては、制御部１１は、各処理部の設定情報をミュート・オンに設定する。Ｓ８においては、時刻取得中である旨の画面表示を行わせる。【選択図】  図２
2005127863.tif 000002
【特許請求の範囲】
【請求項１】
停電の有無を検出する停電検出部と、停電前の機器のオン・オフ状態を記憶する機器状態記憶部と、を有する機器のオートクロック機能を制御するオートクロック制御装置であって、
前記機器状態記憶部に記憶された停電前における前記機器の電源がオフ状態であった場合に、停電復帰時に前記機器内の情報処理部をミュートにした状態でクロック情報を自動的に取得し、その後に前記情報処理部のミュート状態を解除する制御を行うことを特徴とするオートクロック制御装置。
【請求項２】
さらに、クロック情報の取得に失敗した場合に、機器の電源が次にオンした際に再度クロック情報の取得処理を行うように制御することを特徴とする請求項１に記載のオートクロック制御装置。
【請求項３】
さらに、前回のオートクロック情報の取得に失敗した際には、その旨を報知するように制御を行うことを特徴とする請求項２に記載のオートクロック制御装置。
【請求項４】
停電の有無を検出する停電検出部と、停電前の機器のオン・オフ状態を記憶する機器状態記憶部と、を有する機器のオートクロック機能を制御するオートクロック制御装置であって、
前記機器状態記憶部に記憶された停電前における前記機器の電源がオン状態であった場合に、停電復帰時にクロック情報を自動的に取得するとともに、その旨を報知する制御を行うことを特徴とするオートクロック制御装置。
【請求項５】
前記クロック情報の取得処理を、関連付けされたある操作に応じて強制的に中止する制御を行うことを特徴とする請求項１から４までのいずれか１項に記載のオートクロック制御装置。
【請求項６】
停電の有無を検出する停電検出部を有する機器のオートクロック機能を制御するオートクロック制御装置であって、
停電前における前記機器の電源がオフ状態であった場合に、停電復帰時に前記機器内の情報処理部をミュートにした状態でクロック情報を自動的に取得し、その後に前記情報処理部のミュート状態を解除する制御を行うことを特徴とするオートクロック制御装置。
【請求項７】
停電の有無を検出する停電検出部と、停電前の機器のオン・オフ状態を記憶する機器状態記憶部と、を有する機器のオートクロック機能を制御するオートクロック制御装置であって、
前記機器状態記憶部に記憶された停電前における前記機器の電源がオフ状態であった場合に、停電復帰時にクロック情報をユーザから見えない裏側で自動的に取得する制御を行うことを特徴とするオートクロック制御装置。
【請求項８】
停電の有無を検出する停電検出部と、停電前の機器のオン・オフ状態を記憶する機器状態記憶部と、オートクロック機能を制御するオートクロック制御装置とを有する機器であって、
前記オートクロック制御装置は、前記機器状態記憶部に記憶された停電前における前記機器の電源がオフ状態であった場合に、停電復帰時に前記機器内の情報処理部をミュートにした状態でクロック情報を自動的に取得し、その後に前記情報処理部のミュート状態を解除する制御を行うことを特徴とする機器。
【請求項９】
オートクロック機能を有する機器におけるオートクロック制御方法であって、
停電前における機器の電源状態を判断する第１ステップと、
該第１ステップにおいて、停電前における前記機器の電源がオフであった場合に、停電復帰時に前記機器内の情報処理部をミュートにした状態でクロック情報を自動的に取得し、その後に前記情報処理部のミュート状態を解除する制御を行う第２ステップと
を有するオートクロック制御方法。
【請求項１０】
さらに、オートクロック情報の取得に失敗した場合に、機器の電源が次にオンした際に、クロック情報の取得を行うステップを含むことを特徴とする請求項９に記載のオートクロック制御方法。
【請求項１１】
請求項９又は１０に記載のステップをコンピュータに実行させるためのプログラム。
【発明の詳細な説明】
【技術分野】
【０００１】
本発明は、テレビジョン受信機（以下「テレビ」と称する。）などの電子機器、特にＡＶ機器において、自動的に時刻を取得し表示画面上に時刻を表示させるためのオートクロック処理に関し、特に停電復帰後におけるオートクロック処理に関する。
【背景技術】
【０００２】
従来から、テレビには時計表示機能を備えるものが多くある。また、時計表示に関連して、時計機能の時刻と分との間に表示されるコロンの示す色を変更することにより停電があった旨を報知する提案もなされている（例えば、特許文献１参照）。
【０００３】
【特許文献１】特開平８−９８１００号公報
【発明の開示】
【発明が解決しようとする課題】
【０００４】
ところが、停電後に停電から復帰した場合におけるオートクロック機能に関連して様々な問題があった。
【０００５】
本発明は、オートクロック機能を有する時計機能において、停電発生時の時計の再取得を、ユーザに意識させずに行うこと、と再取得処理がクリアされたことをユーザに知らせる手段を提供することである。
【課題を解決するための手段】
【０００６】
本発明の一観点によれば、停電の有無を検出する停電検出部と、停電前の機器のオン・オフ状態を記憶する機器状態記憶部と、を有する機器のオートクロック機能を制御するオートクロック制御装置であって、前記機器状態記憶部に記憶された停電前における前記機器の電源がオフ状態であった場合に、停電復帰時に前記機器内の情報処理部をミュートにした状態でクロック情報を自動的に取得し、その後に前記情報処理部のミュート状態を解除する制御を行うことを特徴とするオートクロック制御装置が提供される。
【０００７】
上記オートクロック制御装置を用いると、停電前における前記機器の電源がオフ状態であった場合に、裏側でオートクロック処理を行わせることができる。
【発明の効果】
【０００８】
本発明によれば、オートクロック機能において、停電があった後に機器が停電から復帰した場合に、ユーザに意識させることなくスムーズにオートクロック処理を実行させることができる。
【発明を実施するための最良の形態】
【０００９】
本明細書において、停電とは、実際に発電所などの影響により家庭などに電力が供給されなくなる一般的な意味で用いられる停電の他に、いきなり機器の電源コンセントが外れた場合なども含まれる。同様に、停電復帰とは、一般的な意味で用いる停電の他に、例えばコンセント外れなどにより突然に電源が供給停止となり、その後に再び電源供給がなされた場合なども含まれる。
【００１０】
テレビで受信可能ないくつかのチャネルで供給されているＥＤＳ（Ｅｘｔｅｎｄｅｄ
Ｄａｔａ  Ｓｅｒｖｉｃｅ）信号を検出することにより自動的に時計の設定が可能である。ＥＤＳ信号は、Ｔｉｍｅ  ｏｆ  Ｄａｙ（グリニッジ標準時間）と、Ｌｏｃａｌ  Ｔｉｍｅ  Ｚｏｎｅ  ＆  ＤＳＴ  Ｕｓｅ（地域時間と夏時間）と、時間データの補正とに関する信号を含む。グリニッジ標準時間に関するデータと地域時間と夏時間に関するデータとが確定すると、両者の関係に基づいて時間データが補正され、最終的な時刻データを自動的に確定することができる（オートクロック機能の一部）。オートクロック機能とは、例えば上記ＥＤＳ信号を検出することにより、自動的に時計の設定を行う機能である。
【００１１】
本発明に係るオートクロック制御技術は、オートクロック機能を有する機器などにおいて、停電からの復帰時にユーザにとって違和感のないように処理を行わせる技術に関する。
【００１２】
以下、本発明の一実施の形態によるテレビであって、例としてＥＤＳを利用して時計表示を行う機能を有するテレビに関するオートクロック処理について図面を参照しつつ説明を行う。図１は、本実施の形態によるオートクロック制御装置を含むテレビのブロック図である。図２から図４までは、本実施の形態によるオートクロック制御方法の流れを示すフローチャート図である。図５は、本実施の形態による時刻取得に関するＯＳＤ表示の流れを示す図である。
【００１３】
図１に示すように、本実施の形態によるテレビ装置Ａは、テレビジョン放送を受信するアンテナ１と、テレビジョン放送を選局するチューナ部３と、チューナ部３から出力される映像信号を処理する映像処理部５と、音声信号を処理する音声処理部７と、テレビ全体の処理を統括的に行う制御部１１と、映像処理部５から出力されたデータスライス信号を処理するデータスライサ処理部１５と、ＯＳＤ（オンスクリーンディスプレイ）表示制御に関するＯＳＤ処理部１７と、動作電源を確保し取得するためのＡＣコンセント２１と、ＡＣコンセント２１からの供給電力を検知することにより停電の有無を検出する停電検出部２３であって検出された停電の有無に関する停電情報を制御部１１に送る停電検出部２３と、テレビ本体とリモコン操作部２５とを有している。さらに、停電前の機器の状態がオンであったか或いはオフであったかを、停電検出部２３が停電を検出した後にも記憶している機器状態記憶部１１ａ、例えば不揮発に機器状態を記憶する不揮発性メモリなどを有している。リモコン操作部からは、リモコン操作に基づく操作信号が制御部１１に送られる。制御部１１は、チューナ部３、映像処理部５、音声処理部７、データスライサ処理部１５、ＯＳＤ処理部１７などを総括して制御する。
【００１４】
図１及び図２〜図４までに示すように、オートクロック機構の制御処理として、まず、ステップＳ１において、オートクロック制御・表示に伴う停電復帰処理を開始する。ステップＳ２において、停電検出部２３は、ＡＣコンセント２１からの電源供給が復帰した旨を検出すると、ステップＳ３において、停電（停電復帰）情報を制御部１１に送る。ステップＳ４において、制御部１１は停電（停電復帰）情報を受け、ステップＳ５において停電前のテレビの状態を例えば、機器状態検出部１１ａの記憶内容に基づいてチェックする。すなわち、ステップＳ６において、停電直前のテレビが電源オンの状態であったか電源オフの状態であったか否かに関するチェックを行う。尚、この情報はマイコンなどによりメモリに記憶させておくことにより、その後にチェックすることも可能である。
【００１５】
ステップＳ６の判断処理において、停電直前の電源状態がオフであればステップＳ７に進み、停電直前の電源状態がオンであればステップＳ８に進む。停電直前の電源状態がオフであると判断されたステップＳ７においては、停電復帰後にいきなり画面表示が行われるのは不自然である。そこで、制御部１１は、例えば、映像処理部５と音声処理部７とＯＳＤ処理部１７との設定情報をミュート・オンに設定する。
【００１６】
一方、ステップＳ８においては、停電直前の電源状態がオンであるため、停電復帰後の画面表示が行われていても不自然ではない。この場合、制御部１１は、例えばＯＳＤ処理部１７に指令し時刻取得中である旨の画面表示を行わせる。時刻取得中である旨の画面表示を行うことにより、画面表示が行われない不自然さに関してユーザにその理由を知らせることにより、停電前の画面表示と関連する画面表示が未だなされていない点に関するユーザの疑問に応えることができる。
【００１７】
例えば、図５において符号３１で示すようにクロックメニュー画面においてＡＵＴＯ
ＣＬＯＣＫを選択し、次いで、ＡＵＴＯ  ＣＬＯＣＫメニュー画面においてＥＤＳ  ＣＨ  ＳＥＴを適切に設定し、次いで、ＳＴＡＲＴを行うと、符号３３で示されるように待ち命令（ＰＬＥＡＳＥ  ＷＡＩＴ）が表示される。時刻取得に失敗すると、その旨が符号３４で示されるように画面に表示される。一方、ユーザがマニュアルクロックを選択すると、符号３５に示すようにＭＡＮＵＡＬ  ＣＬＯＣＫ  メニューにおいて、手動で、時刻を設定又は取得することができる。
【００１８】
ステップＳ７又はＳ８の次にはステップＳ９に進み、制御部１１は起動命令を関連する全ての処理部に送り、ステップＳ１０において、時刻取得命令をデータスライサ処理部１５に送る。図３に示すように、ステップＳ１１において、データスライサ処理部１５は、時刻取得を開始する。この際、本体及びリモコン操作部２５は常に監視されている。
【００１９】
ステップＳ１２において、データスライサ処理部１５は、時刻取得情報を制御部１１に送る。ステップＳ１３において、制御部１１は、時刻取得情報を受信し、ステップＳ１４において、時刻取得情報により時刻取得処理が成功したか否かをチェックする（ステップＳ１５）。チェックの結果、時刻取得に失敗していると判断されるとステップＳ１６に進み、時刻取得が成功していると判断されるとステップＳ１７に進む。ステップＳ１６においては、制御部１１は、ＡＵＴＯ  ＣＬＯＣＫメニューへの強制遷移フラグをＯＮに設定する。ステップＳ１７においては、制御部１１は、ＡＵＴＯ  ＣＬＯＣＫメニューへの強制遷移フラグをＯＦＦに設定する。
【００２０】
次いで、図４に示すように、ステップＳ１８において、制御部１１はテレビの電源がＯＮになるまで待つ。この場合に、次回にテレビの電源がＯＮされると、ステップＳ１９に進み、制御部１１は、ＡＵＴＯ  ＣＬＯＣＫメニューへの上記強制遷移フラグに関してステップＳ２０においてチェックする。ステップＳ２０において、強制遷移フラグがＯＮされていると判断されるとステップＳ２１に進み（すなわち、制御部１１は、ステップＳ１１からＳ１６、Ｓ１７までの間、本体及びリモコン操作部２５からの操作信号を常に監視し、電源ＯＮになった場合に相当する）、制御部１１は、例えばＯＳＤ処理部１７により時刻取得が失敗した旨の表示を行い、ステップＳ２２に進む。これにより、ユーザは、時刻取得は失敗に終わったことを知ることができる。例えば、この表示は、その後にユーザがマニュアルで時刻取得を行うように促す契機となる。この後、強制的にＡＵＴＯ  ＣＬＯＣＫメニューに移る。
【００２１】
ステップＳ２０において、強制遷移フラグがＯＦＦであると判断されれば、ステップＳ２１の処理を経ずに直接ステップＳ２２に進む。ステップＳ２２においては、制御部１１は、起動命令を各処理部に送り、ステップＳ２３において処理を終了する。この場合、ステップＳ１７において時刻取得処理に成功していることをユーザは既に知っているため、このことを意識せずにこのまま処理を終了することができる。
【００２２】
尚、ステップＳ１１からＳ１７までの処理区間において、本体又はリモコンの操作が常に監視されており、ユーザの操作による電源オンを検知すると、制御部１１は停電復帰時の時刻取得処理を中止することができる。これにより、ユーザはいつでも、任意に時刻取得処理をスキップ又は後回しにして、テレビ画像のような画面表示を優先させることができる。
【００２３】
以上、本実施の形態によるオートクロック制御技術を用いると、停電からの復帰時に、違和感のない時刻取得処理を行うことができるという利点がある。尚、上記の説明においては、ＥＤＳによるクロック取得について説明したが、他の時刻取得方法を用いても良い。
【産業上の利用可能性】
【００２４】
本発明のオートクロック技術を用いると、種々の電子機器において、停電復帰時におけるオートクロック機能による時刻取得処理を違和感なく行うことができる。従って、種々の電気機器に応用可能である。液晶テレビや無線通信を用いたモバイルデレビなどにも応用可能である。
【図面の簡単な説明】
【００２５】
【図１】本発明の一実施の形態によるオートクロック制御装置を含むテレビのブロック図である。
【図２】本実施の形態によるオートクロック制御方法の流れを示すフローチャート図である。
【図３】本実施の形態によるオートクロック制御方法の流れを示すフローチャート図である。
【図４】本実施の形態によるオートクロック制御方法の流れを示すフローチャート図である。
【図５】本実施の形態による時刻取得に関するＯＳＤ表示の流れを示す図である。
【符号の説明】
【００２６】
１…アンテナ、３…チューナ部、５…映像処理部、７…音声処理部、１１…制御部、１１ａ…機器状態記憶部、１５…データスライサ処理部、１７…ＯＳＤ処理部、２１…ＡＣコンセント、２３…停電検出部、２５…本体及びリモコン操作部。
【図１】
2005127863.tif 000003
【図２】
2005127863.tif 000004
【図３】
2005127863.tif 000005
【図４】
2005127863.tif 000006
【図５】
2005127863.tif 000007